(57)【要約】【課題】記録媒体に記録されている内容を一目で把握できるレーベルプリントを行う。【解決手段】動作が開始されると、まずオブジェクト抽出処理が行われる（ステップＳ９１）。また、オブジェクオの重要度の初期値はＮＵＬＬに設定される。次に、シーン中から１つ以上のオブジェクトが抽出されたかどうかの判断が行われる（ステップＳ９２）。このステップＳ９２で判断結果がＹｅｓのときは、抽出されたオブジェクトを構成するピクセル数を値Ｓ、当該オブジェクトのシーン中における登場フレーム数を値Ｆ、当該シーンの総データ量を記録時間で割った値を値Ｒとする（ステップＳ９３）。さらに、オブジェクトごとに値（Ｓ×Ｆ×Ｒ）を算出し、当該オブジェクトの重要度として設定する（ステップＳ９４）。そして重要度が最大のオブジェクトを、そのシーンを代表するオブジェクトに選出して（ステップＳ９５）、処理は終了される。【選択図】図１３
2009151858.tif 000002
【特許請求の範囲】
【請求項１】
記録媒体に画像情報を含む情報データの記録及び／または再生を行う記録及び／または再生機構と、
前記記録媒体のレーベル部分にプリントを行うプリント機構と、
前記記録媒体に記録または再生される前記画像情報中のオブジェクトを抽出するオブジェクト抽出部と、
前記抽出されたオブジェクトの大きさ及び出現頻度に基づいて重要度を算出する重要度算出部と、を備え、
前記算出された重要度に基づいて当該オブジェクトの画像を前記プリント機構により前記記録媒体のレーベル部分にプリントする
ことを特徴とするレーベルプリント装置。
【請求項２】
前記記録及び／または再生の行われる情報データをシーンごとにグループ分けするグループ分け機構を有し、
前記プリント機構による前記レーベル部分へのプリントを前記グループごとに１以上のオブジェクトを抽出して行う
ことを特徴とする請求項１記載のレーベルプリント装置。
【請求項３】
前記シーンごとの記録時刻及び／または記録場所の情報を判別する記録情報判別機構を有し、
前記グループ分け機構による前記グループ分けを前記シーンごとの記録時刻及び／または記録場所の情報に基づいて行う
ことを特徴とする請求項２記載のレーベルプリント装置。
【請求項４】
前記グループ分けされた各シーンをその記録時間の長い順に序列化するシーン序列化機構と、
前記序列の順に前記各シーンの代表オブジェクトを選択して前記算出された重要度と共に所定数のオブジェクトリストを生成するオブジェクトリスト生成機構と、を有する
ことを特徴とする請求項２、３のいずれか一つに記載のレーベルプリント装置。
【請求項５】
前記オブジェクトリスト生成機構は、前記シーンごとに抽出されるオブジェクトの前記算出された重要度が最大のものを当該シーンの代表オブジェクトとするか、前記オブジェクトの抽出がないときは、前記シーンの開始フレーム、最終フレームまたは中間フレームを重要度０の代表オブジェクトとする
ことを特徴とする請求項４記載のレーベルプリント装置。
【請求項６】
各前記グループをそこに含まれる前記シーンの合計の記録時間の長い順に序列化するグループ序列化機構と、
前記序列の順に各前記代表オブジェクトによるプリントリストを生成するプリントリスト生成機構と、を有する
ことを特徴とする請求項５記載のレーベルプリント装置。
【請求項７】
前記プリントリスト生成機構は、前記代表オブジェクトが重要度０のもののみのときは、前記グループに含まれる前記シーンの記録時間の長い序列の順に任意の数の前記重要度０の代表オブジェクトによるプリントリストを生成する
ことを特徴とする請求項６記載のレーベルプリント装置。
【請求項８】
前記記録媒体のレーベル部分にプリントを行うプリント機構は、前記記録媒体の全体の記録容量と、前記記録及びまたは再生の行われる情報データの情報量とによって前記プリントの領域を決めて行う
ことを特徴とする請求項１〜７のいずれか一つにレーベルプリント装置。
【請求項９】
前記記録媒体のレーベル部分にプリントを行うプリント機構は、前記プリントする際のオブジェクトの画像の大きさを前記重要度に基づき制御する
ことを特徴とする請求項８記載のレーベルプリント装置。
【請求項１０】
前記記録媒体のレーベル部分にプリントを行うプリント機構は、前記プリントされるオブジェクトを前記グループごとに識別可能にする
ことを特徴とする請求項９記載のレーベルプリント装置。
【請求項１１】
内蔵若しくはネットワーク上のデータベースを検索するデータベース検索部をさらに備え、
前記抽出されたオブジェクトに基づき前記検索部で検索された情報を前記オブジェクト共にプリントする
ことを特徴とする請求項１〜１０のいずれか一つに記載のレーベルプリント装置。
【請求項１２】
記録媒体に画像情報を含む情報データの記録及び／または再生を行うと共に、前記記録媒体のレーベル部分にプリントを行う機構を有し、
内蔵若しくはネットワーク上のデータベースを検索する検索部と、
前記記録媒体に記録または再生される前記画像情報中のオブジェクトを抽出するオブジェクト抽出部と、
前記抽出されたオブジェクトの大きさ及び出現頻度に基づいて重要度を算出する重要度算出部と、を備え、
前記算出された重要度に基づく前記オブジェクトの画像と前記抽出されたオブジェクトに基づき前記検索部で検索された情報とを前記記録媒体のレーベル部分にプリントする
ことを特徴とするレーベルプリントシステム。
【請求項１３】
記録媒体に画像情報を含む情報データの記録及び／または再生を行うと共に、前記記録媒体のレーベル部分にプリントを行う機構を有する装置に使用され、
前記記録媒体に記録または再生される前記画像情報中のオブジェクトを抽出する手順と、
前記抽出されたオブジェクトの大きさ及び出現頻度に基づいて重要度を算出する手順と、
前記算出された重要度に基づいて当該オブジェクトの画像を前記記録媒体のレーベル部分にプリントする手順とからなる
ことを特徴とするレーベルプリント方法。
【発明の詳細な説明】
【技術分野】
【０００１】
本発明は、例えば光学式のディスク状記録媒体や非接触で情報データの記録再生を行う記録媒体に使用して好適なレーベルプリント装置、レーベルプリントシステム及びレーベルプリント方法に関する。
【背景技術】
【０００２】
記録可能な光ディスクにデータを記録する際に、一見してディスクに記録されたデータ内容が判るようレーベルに記録内容を示す情報を付与することがユーザーにより行われる。レーベル作成の方法の１つとして、ユーザーが手書きで記録内容を示す文字情報をレーベルに描画することが行われているが、光ディスクの大容量化に伴い記録内容も多岐に渡るため、ディスクに記録された全ての内容を手書きする作業は非常に煩雑なものとなる。
【０００３】
また、手書きの場合には、書き手の字の上手下手などにより美観が損なわれる場合がある。そこで、パーソナルコンピュータ（以降ＰＣと略称する）上でレーベルデザイン用のソフトウェアを使って、光ディスクに記録された内容を示すタイトル画像やタイトル文字情報を設定し、レーベルプリント用のデータを作成、それをＰＣに接続されたプリンタからレーベルプリントに対応した光ディスクへとプリントすることが行われている。これにより、比較的見た目の良いレーベルの作成が可能となっている（例えば、非特許文献１、２参照。）。
【０００４】
しかしながら、ＰＣの光ディスクドライブを使って光ディスクへのデータ記録を行った後に、同じくＰＣ上に用意したレーベプリント用データを、ＰＣの周辺機器であるプリンタ装置を使って当該光ディスクのレーベルにレーベルプリントを行う場合、データを書き込む装置と、レーベルにプリントする装置が異なるため、ユーザーは光ディスクに記録されたデータとプリントされるレーベルとの一貫性に注意を払わねばならなかった。
【０００５】
また、複数の光ディスクへのデータ記録を行った後に、それら各々のディスクのレーベルプリントを行うといった場合、再生装置を使って、光ディスクへの記録内容を再度確認しつつレーベルプリント作業を行うことは可能であるが、装置にセットし、再生が開始されるまでには少なくとも数秒の時間を要する。したがって、内容を確認しなければならない光ディスクの枚数が多い場合には、トータルの作業時間は無視できないものとなる。
【０００６】
そこで、光ディスク記録再生装置に更にレーベル印刷機能を搭載することで、データの記録処理とレーベルプリント処理とをひとつの装置内で一貫した作業として行うことが提案されている（例えば、特許文献１参照。）。しかしながら、こういった装置を使用する場合であっても、依然としてレーベルにプリントする情報をどのようにして用意するかが問題となり、光ディスクに記録されたデータを代表する画像の準備やデイスクタイトルの入力をユーザーが行わなければならないという煩雑さは解決していない。
【０００７】
これに対して、例えば光ディスクに記録されるデータが映像データの場合、各シーンの先頭画像を自動的に収集して、それらのサムネイル画像を生成したうえで、光ディスクに記録されたデータを代表する画像としてレーベルにプリントする方法が提案されている（例えば、特許文献２参照。）。しかしながら、この場合、シーンの先頭の画像が必ずしも記録内容を代表しているとは限らず、適切な画像を選択するためには、依然としてユーザーが手を加える必要があった。
【０００８】
また、シーンの数が多い場合には、レーベルにプリントする個々のサムネイル画像のサイズを小さくしなければならず、結果的にプリントされる各シーンに対応するサムネイル画像やテキスト情報の視認性が低下していた。プリントするサムネイル画像のサイズを適当な大きさとすることもできるが、その場合には使用するサムネイル画像の数を制限しなければならず、サムネイル画像の取捨選択はユーザーが行う必要があった。
【０００９】
さらに、サイズの小さいサムネイル画像だけでは、記録されている内容が判然としない場合があり、タイトルなどの文字情報の入力が必要となる状況を完全に排除することはできなかった。
【００１０】
一方、指定された画像データ中の主要な被写体を抽出してレーベルにプリントする光ディスク記録再生装置が提示されている（例えば、特許文献３参照。）。しかしながらこの発明は、特定の画像から被写体を抽出し、それをレーベルにプリントする方法を主張したものであり、ディスクに記録された内容を精査し、シーンや出現オブジェクトに着目して、それらを代表するオブジェクト領域を自動抽出したうえで網羅的にレーベルにプリントすることで、記録内容を概観可能とするというものではない。
【００１１】
さらに、放送やインターネットによりテレビ番組と共に提供される電子番組表（ＥＰＧ）データと録画した番組データとを紐つけ管理し、ＥＰＧデータから番組タイトルなど番組を説明する文字情報を抽出し、サムネイル画像と併せてレーベルにプリントすることが提案されている。これによれば、ＥＰＧデータ中に番組を代表する画像についての情報を付加することも可能となるため、録画番組のタイトルの入力を行う必要がなくなるだけでなく、代表画像も自動的に設定可能となり、ユーザーへの利便性は大きい（例えば、特許文献４参照。）。
【００１２】
しかしながら、ＥＰＧ情報が提供されているのはテレビ番組についてのみであり、ユーザーがビデオカメラなどを使って自ら撮影したデータについては、その内容を説明するためのデータはユーザーが自分で用意しなければならなかった。ユーザーは当該光ディスクへの記録内容を代表する画像の選択、選んだ画像中でディスク形状に切り出す領域の選択、複数のサムネイル画像を用いる場合にはその選択を、更にはタイトル情報など文字情報の入力を自ら行う必要があった。
【００１３】
また、テレビ番組の場合であっても、ＥＰＧ情報に基づいて自動的にレーベルプリント用画像が生成されるとしても、ディスクの大容量化に伴い１枚のディスクに記録されるコンテンツの数が増加すると、個々のコンテンツを示すサムネイル画像やタイトル情報のプリントサイズは相対的に小さくなるため、視認性が低下するという問題があった。
【００１４】
【特許文献１】特開平５−２３８００５号公報
【特許文献２】特開２００６−１５５８１１号公報
【特許文献３】特開２００７−５８９３４号公報
【特許文献４】特開２００６−３５１０５２号公報
【非特許文献１】http://dvd.maxell.co.jp/enjoy_dvd/special/12/01.html
【非特許文献２】http://cweb.canon.jp/pixus/guide/cd-r/index.html
【発明の開示】
【発明が解決しようとする課題】
【００１５】
以上述べたように、従来の技術では、レーベルプリントされる画像を適切に選択することができないために、当該記録媒体に記録されている内容を一目で把握できるプリントを行うことができないなど、種々の問題を生じていた。
【００１６】
本発明では、これらの問題を解決し、当該記録媒体に記録されている内容がどのような内容であるかの概略を自動的に生成プリントすることのできるレーベルプリント装置、レーベルプリントシステム及びレーベルプリント方法を提供するものである。
【課題を解決するための手段】
【００１７】
本発明においては、記録媒体に記録または再生される画像情報中のオブジェクトを抽出し、抽出されたオブジェクトの大きさ及び出現頻度に基づいて重要度を算出し、算出された重要度に基づいて当該オブジェクトの画像を記録媒体のレーベル部分にプリントする。
【発明の効果】
【００１８】
本発明によれば、記録媒体に記録されている内容を一目で把握できるレーベルプリントを行うことができる。
【発明を実施するための最良の形態】
【００１９】
すなわち本発明のレーベルプリント装置は、記録媒体に画像情報を含む情報データの記録及び／または再生を行うと共に、記録媒体のレーベル部分にプリントを行う機構を有し、記録媒体に記録または再生される画像情報中のオブジェクトを抽出するオブジェクト抽出部と、抽出されたオブジェクトの大きさ及び出現頻度に基づいて重要度を算出する重要度算出部とを備え、算出された重要度に基づいて当該オブジェクトの画像を前記記録媒体のレーベル部分にプリントするものである。
【００２０】
また、本発明のレーベルプリントシステムは、記録媒体に画像情報を含む情報データの記録及び／または再生を行うと共に、記録媒体のレーベル部分にプリントを行う機構を有し、内蔵若しくはネットワーク上のデータベースを検索する検索部と、記録媒体に記録または再生される画像情報中のオブジェクトを抽出するオブジェクト抽出部と、抽出されたオブジェクトの大きさ及び出現頻度に基づいて重要度を算出する重要度算出部とを備え、算出された重要度に基づくオブジェクトの画像と抽出されたオブジェクトに基づき検索部で検索された情報とを記録媒体のレーベル部分にプリントするものである。
【００２１】
さらに本発明のレーベルプリント方法は、記録媒体に画像情報を含む情報データの記録及び／または再生を行うと共に、記録媒体のレーベル部分にプリントを行う機構を有する装置に使用され、記録媒体に記録または再生される画像情報中のオブジェクトを抽出する手順と、抽出されたオブジェクトの大きさ及び出現頻度に基づいて重要度を算出する手順と、算出された重要度に基づいて当該オブジェクトの画像を記録媒体のレーベル部分にプリントする手順とからなるものである。
【００２２】
以下、図面を参照して本発明のレーベルプリント装置、レーベルプリントシステム及びレーベルプリント方法を適用した光ディスク記録再生装置の一実施形態を説明する。
【００２３】
図１は、本発明を適用した光ディスク記録再生装置の構成を示す平面図、図２はその正面図、図３はその信号処理の説明のための回路ブロック図である。なお、本発明は光ディスク記録再生装置に限らず非接触で情報データの記録再生を行う記録媒体に実施可能であるが、現状で公知性の高い光ディスク記録再生装置において以下の説明を行う。
【００２４】
図１〜図３において、光ディスク装置１は、光ディスク１０１を搬送するトレイ２と、トレイ２により搬送された光ディスク１０１を回転駆動させる回転駆動部の一具体例を示すスピンドルモータ３と、このスピンドルモータ３により回転駆動された光ディスク１０１の情報記録面に情報の書き込み及び／又は読み出しを行う記録及び／又は再生部５と、回転駆動された光ディスク１０１のレーベル面１０１ａに文字や画像などの可視情報を印刷する印刷部６と、記録及び／又は再生部５や印刷部６等を制御する制御部７等を備えて構成されている。
【００２５】
光ディスク装置１のトレイ２は、光ディスク１０１よりもやや大きな平面長方形の板状部材からなり、一方の平面である上面に、光ディスク１０１を収納するための円形の凹部からなるディスク収納部１０が設けられている。また、トレイ２には、スピンドルモータ３等との接触を避けるための切欠き部１１が設けられている。この切欠き部１１は、トレイ２の一方の短辺からディスク収納部１０の中央部に至るまで大きく形成されている。このトレイ２は、スピンドルモータ３のディスク装着部に装着されるディスク装着位置と、光ディスク１０１を載置して装置筐体から外に排出させるディスク排出位置とに選択的に搬送される。
【００２６】
スピンドルモータ３は、トレイ２がディスク装着位置に搬送されたとき、ディスク収納部１０の略中央部に位置するように図示しないモータベースに配置されている。このスピンドルモータ３の回転軸の先端には、光ディスク１０１の中心孔１０１ｂに着脱可能に嵌合されるディスク嵌合部１２ａを有するターンテーブル１２が設けられている。
【００２７】
このようなスピンドルモータ３は、トレイ２がディスク装着位置に搬送された際に、図示しない昇降機構によってモータベースを上昇させることにより、上方に移動される。そして、ターンテーブル１２のディスク嵌合部１２ａが光ディスク１０１の中心孔１０１ｂに嵌合され、光ディスク１０１がディスク収納部１０から所定距離だけ持ち上げられる。また、昇降機構を逆方向へ動作させてモータベースを下降させることにより、ターンテーブル１２のディスク嵌合部１２ａが光ディスク１０１の中心孔１０１ｂから下方へ抜け出し、光ディスク１０１がディスク収納部１０に載置される。
【００２８】
スピンドルモータ３の上方には、チャッキング部１４が設けられている。このチャッキング部１４は、スピンドルモータ３の昇降動作によって持ち上げられた光ディスク１０１を上から押えるものである。これにより、チャッキング部１４とターンテーブル１２とで光ディスク１０１を挟持して、光ディスク１０１がターンテーブル１２からの抜け出すことを防止する。
【００２９】
記録及び／又は再生部５は、光ピックアップ１６と、光ピックアップ１６が搭載されるピックアップベース１７と、ピックアップベース１７を光ディスク１０１の半径方向へ案内する一対の第１のガイド軸１８ａ，１８ｂ等を備えて構成されている。
【００３０】
光ピックアップ５は、記録媒体である光ディスク１０１から情報の読み取りを行う読取り部の一具体例を示すものである。この光ピックアップ５は、光検出器と、対物レンズと、この対物レンズを光ディスク１０１の情報記録面に臨ませる二軸アクチュエータ等を有している。光ピックアップ５の光検出器は、光ビームを出射する光源となる半導体レーザと、戻りの光ビームを受光する受光素子等から構成されている。
【００３１】
また、光ピックアップ５は、半導体レーザから光ビームを出射し、その光ビームを対物レンズにより集光して光ディスク１０１の情報記録面に照射すると共に、その情報記録面で反射された戻りの光ビームを光検出器で受光する。これにより、光ピックアップ５は、情報信号を記録（書込み）したり、予め情報記録面に記録されている情報信号を再生（読取り）したりすることができる。
【００３２】
この光ピックアップ５は、ピックアップベース１７に搭載されていて、ピックアップベース１７と一体的に移動される。ピックアップベース１７には、光ディスク１０１の半径方向であって、本実施の形態ではトレイ２の移動方向と平行に配置された２本のガイド軸１８ａ，１８ｂが摺動可能に挿通されている。更に、ピックアップベース１７は、図示しないピックアップモータを有するピックアップ移動機構により、２本のガイド軸１８ａ，１８ｂに沿って移動可能とされている。このピックアップベース１７の移動時に、光ディスク１０１の情報記録面に対する光ピックアップ５による情報信号の記録及び／又は再生作業が実行される。
【００３３】
ピックアップベース１７を移動させるピックアップ移動機構としては、例えば、送りネジ機構を適用することができる。しかしながら、ピックアップ移動機構としては、送りネジ機構を適用することに限定されるものではなく、例えば、ラック・オピニオン機構、ベルト送り機構、ワイヤ送り機構その他の機構を適用することもできるものである。
【００３４】
印刷部６は、印刷ヘッド２１と、一対の第２のガイド軸２２ａ，２２ｂと、インクカートリッジ２３と、ヘッドキャップ２４と、吸引ポンプ２５と、廃インク吸収部２６と、ブレード２７等を備えて構成されている。
【００３５】
印刷ヘッド２１は、光ディスク１０１のレーベル面１０１ａに対向される。この印刷ヘッド２１のレーベル面１０１ａに対向される面には、インク滴が吐出される複数の吐出ノズル３１が設けられている。これら複数の吐出ノズル３１は、印刷ヘッド２１が移動する方向へ並ぶ４つの列に配列されていて、列毎に所定の色のインク滴を吐出するように設定されている。
【００３６】
本実施の形態では、図１において上から順にシアン（Ｃ）用の吐出ノズル３１ａ、マゼンタ（Ｍ）用の吐出ノズル３１ｂ、イエロー（Ｙ）用の吐出ノズル３１ｃ、ブラック（Ｋ）用の吐出ノズル３１ｄとされている。また、印刷ヘッド２１は、各吐出ノズル３１ａ〜３１ｄの増粘インク、気泡および異物などを排出するために、印刷前や印刷後にインクをダミー吐出するようになっている。
【００３７】
印刷ヘッド２１には、互いに平行とされた２本の第２のガイド軸２２ａ，２２ｂが摺動可能に挿通されている。そして、印刷ヘッド２１は、ヘッド駆動モータ３２（図３を参照）を有するヘッド移動機構により、２本の第２のガイド軸２２ａ，２２ｂに沿って移動可能とされている。２本の第２のガイド軸２２ａ，２２ｂの軸方向の一端は、トレイ２が移動する方向と交差する方向に延在されたガイド軸支持部材３３にそれぞれ固定されていて、他端は、トレイ２が移動する方向と反対側に延在されている。また、印刷ヘッド２１は、非印刷時には光ディスク１０１の半径方向外側の待機位置に退避するように構成されている。
【００３８】
インクカートリッジ２３は、シアン（Ｃ）、マゼンタ（Ｍ）、イエロー（Ｙ）、ブラック（Ｋ）の各インクに対応してシアン（Ｃ）用のインクカートリッジ２３ａ、マゼンタ（Ｍ）用のインクカートリッジ２３ｂ、イエロー（Ｙ）用のインクカートリッジ２３ｃ、ブラック（Ｋ）用のインクカートリッジ２３ｄが設けられている。これらインクカートリッジ２３ａ〜２３ｄは、印刷ヘッド２１の吐出ノズル３１ａ〜３１ｄにそれぞれインクを供給する。
【００３９】
インクカートリッジ２３ａ〜２３ｄは、それぞれ中空の容器を有しており、その容器内に内蔵された多孔質体の毛細管力によってインクを蓄えている。これらインクカートリッジ２３ａ〜２３ｄの開口部は、それぞれ連結部３５ａ〜３５ｄに着脱可能に連結されており、それら連結部３５ａ〜３５ｄを介して印刷ヘッド２１の各吐出ノズル３１ａ〜３１ｄに連通されている。そのため、容器内のインクが無くなった際には、そのインクカートリッジを連結部から取り外して、新しいインクカートリッジと容易に交換することができる。
【００４０】
ヘッドキャップ２４は、印刷ヘッド２１の待機位置に設けられていて、待機位置に移動した印刷ヘッド２１の複数の吐出ノズル３１を設けた面に装着される。これにより、印刷ヘッド２１が含有するインクの乾燥や、各突出ノズル３１ａ〜３１ｄに塵や埃等が付着することを防止している。また、ヘッドキャップ２４は、多孔質層を備えていて、印刷ヘッド２１が各吐出ノズル３１ａ〜３１ｄからダミー吐出したインクを一時的に保持する。その際、ヘッドキャップ２４の内部は、図示しない弁機構により大気圧と等しくなるように調節される。
【００４１】
吸引ポンプ２５は、チューブ３６を介してヘッドキャップ２４と接続されている。この吸引ポンプ２５は、印刷ヘッド２１にヘッドキャップ２４が装着されているときに、そのヘッドキャップ２４の内部空間に負圧を与える。これにより、印刷ヘッド２１の各突出ノズル３１ａ〜３１ｄ内のインクや、印刷ヘッド２１によりダミー吐出されてヘッドキャップ２４に一時的に保持されたインクが吸引される。また、廃インク吸収部２６は、チューブ３７を介して吸引ポンプ２５に接続されており、吸引ポンプ２５により吸引されたインクを収容する。
【００４２】
ブレード２７は、印刷ヘッド２１の待機位置と印刷位置との間に配置されている。このブレード２７は、印刷ヘッド２１が待機位置と印刷位置との間を移動する際に、各吐出ノズル３１ａ〜３１ｄの先端面に接触して、それら先端面に付着した塵や埃等のゴミやインクなどを払拭する。なお、ブレード２７を上下に移動させる移動機構を設けることにより、印刷ヘッド２１の各吐出ノズル３１ａ〜３１ｄを払拭するか否かを選択可能に構成することもできる。
【００４３】
図３は、光ディスク装置１の信号の流れを示したブロック図である。光ディスク装置１は、制御部７と、インターフェース部４１と、記録制御回路４２と、トレイ駆動回路４３と、モータ駆動回路４４と、信号処理部４５と、インク吐出駆動回路４６と、機構部駆動回路４７等を有している。
【００４４】
制御部７は、中央制御部５１と、ドライブ制御部５２と、プリント制御部５３を有している。中央制御部５１は、ドライブ制御部５２及びプリント制御部５３の制御をする部分である。この中央制御部５１は、インターフェース部４１から供給された記録データ信号をドライブ制御部５２へ出力する。また、中央制御部５１は、インターフェース部４１から供給される画像データ信号や、ドライブ制御部５２から供給される位置データ信号をプリント制御部５３に出力する。
【００４５】
ドライブ制御部５２は、スピンドルモータ３及びピックアップ駆動モータ（図示しない）の回転を制御したり、光ピックアップ１６による記録データ信号の記録や再生データ信号の再生を制御したりする。このドライブ制御部５２は、スピンドルモータ３と、ピックアップ駆動モータと、トレイ駆動モータの回転を制御する制御信号をモータ駆動回路４４に出力する。
【００４６】
また、ドライブ制御部５２は、光ピックアップ１６から照射される光ビームが光ディスク１０１のトラックを追跡するようにトラックサーボ及びフォーカスサーボを制御する制御信号を光ピックアップ１６に出力する。更に、ドライブ制御部５２は、信号処理部４５から供給される位置データ信号を中央制御部５１に出力する。
【００４７】
記録制御回路４２は、ドライブ制御部５２から供給される再生データ信号にエンコード処理や、変調等を行い、処理した再生データ信号をドライブ制御部５２に出力する。また、トレイ駆動回路４３は、ドライブ制御部５２から供給される制御信号に基づいてトレイ駆動モータを駆動させる。これにより、ディスクトレイ２が装置筐体の内外に亘って搬送される。
【００４８】
モータ駆動回路４４は、ドライブ制御部５２から供給される制御信号に基づいてスピンドルモータ３を駆動させる。これにより、スピンドルモータ３のターンテーブル１２に装着された光ディスク１０１が回転駆動される。また、モータ駆動回路４４は、ドライブ制御部５２からの制御信号に基づいてピックアップ駆動モータを駆動させる。これにより、光ピックアップ１６がピックアップベース１７と一体に、光ディスク１０１の半径方向へ移動される。
【００４９】
信号処理部４５は、光ピックアップ５から供給されるＲＦ（Radio Frequency）信号の
復調及び誤り検出等を行い、再生データ信号を生成する。また、信号処理部４５は、ＲＦ信号に基づいて同期信号等の特定パターンを有する信号や光ディスク１０１の位置データを表す信号として位置データ信号を検出する。この位置データ信号は、例えば、光ディスク１０１の回転角を示す回転角信号や、光ディスク１０１の回転位置を示す回転位置信号を挙げることができる。これら再生データ信号及び位置データ信号は、ドライブ制御部５２に出力される。
【００５０】
プリント制御部５３は、印刷ヘッド２１及びヘッド駆動モータ３２等を有する印刷部６を制御して光ディスク１０１のレーベル面１０１ａに対する印刷を実行させる。このプリント制御部５３は、中央制御部５１から供給された画像データ信号によって得た画像データに基づいてインク吐出データを生成する。そして、プリント制御部５３は、生成したインク吐出データと、中央制御部５１から供給される位置データ信号に基づいて印刷部６を制御する制御信号を生成し、インク吐出駆動回路４６と、機構部駆動回路４７に出力する。
【００５１】
インク吐出駆動回路４６は、プリント制御部５３から供給された制御信号に基づいて印刷ヘッド２１を駆動させる。これにより、印刷ヘッド２１の各吐出ノズル３１からインク滴が吐出され、回転駆動された光ディスク１０１のレーベル面１０１ａに滴下される。また、機構部駆動回路４７は、プリント制御部５３から供給された制御信号に基づいてヘッドキャップ２３と、吸引ポンプ２４と、ブレード２８と、ヘッド駆動モータ３２とを駆動させる。このヘッド駆動モータ３２が駆動することにより、印刷ヘッド２１が光ディスク１０１の半径方向へ移動される。
【００５２】
さらにインターフェース部４１は、パーソナルコンピュータやＤＶＤレコーダ等の外部装置と光ディスク装置１とを電気的に接続する接続部である。
【００５３】
このインターフェース部４１には、バスライン６１を通じて、アンテナ（図示せず）からの放送信号を受信する放送受信部６２、中央演算装置６３、メインメモリ６４、画像処理部６５、ハードディスク装置６６、ＵＳＢ、ＩＥＥＥ１３９４などを通じてカメラ等の外部機器に接続される外部インターフェース部６７、ＨＤＭＩ、Ｄ端子などを通じてディスプレイ装置等に接続される画像出力部６８、家庭内ＬＡＮやインターネットに接続されるネットワークＩ／Ｆ部６９などが接続されている。
【００５４】
これによってインターフェース部４１は、外部装置から供給された信号を制御部７に出力する。この信号は外部装置に記憶された外部記憶情報に対応する信号であり、例えば、光ディスク１０１の情報記録面に記録する記録情報に対応した記録データ信号や、光ディスク１０１のレーベル面１０１ａに印刷する可視情報に対応した画像データ信号を挙げることができる。また、インターフェース部４１は、光ディスク装置１が光ディスク１０１の情報記録面から読み出した再生データ信号を外部装置に出力する。
【００５５】
そしてこの装置において、中央制御部５１には機能ブロックとして、オブジェクト抽出部５０１と、重要度算出部５０２と、グループ分け機構５０３と、記録情報判別機構５０４と、シーン序列化機構５０５と、オブジェクトリスト生成機構５０６と、グループ序列化機構５０７と、プリントリスト生成機構５０８と、データベース検索部５０９を有し、これらを用いて以下の処理が行われる。
【００５６】
そこで本発明においては、この光ディスク１０１のレーベル面１０１ａに印刷する可視情報に対応した画像データ信号が、中央演算装置６３、メインメモリ６４、画像処理部６５、ハードディスク装置６６等の協働によって形成される。その画像データ信号形成の手順を、以下にフローチャートにしたがって説明する。なお、中央制御部５１の機能を簡略化し、オブジェクト抽出部５０１や重要度算出部５０２などの機能ブロックの機能については、画像データ信号の形成と同じく、中央演算装置６３側で行うようにしても良い。
【００５７】
図４には、レーベルプリント機能を搭載した光ディスクドライブ装置、及びそれを含むシステムの制御フローチャートを示す。
【００５８】
図４において、動作が開始されると、まずユーザーによるプリント処理実行命令であるかどうかの判断が行われる（ステップＳ１）。ここで判断結果がＹｅｓのときは、データ記録済みディスクへのレーベルプリント処理が行われる（ステップＳ２）。さらに、ユーザーによるディスクへのデータ記録処理であるかどうかの判断が行われ（ステップＳ３）、判断結果がＮｏのときはその他の処理が行われる（ステップＳ４）。
【００５９】
また、ステップＳ３で判断結果がＹｅｓのときは、新規ディスクへの記録であるかどうかの判断が行われる（ステップＳ５）。ここで判断結果がＮｏのときは、データ未記録ディスクへの新規データ記録、及びレーベルプリント処理が行われ（ステップＳ６）、判断結果がＹｅｓのときは、データ記録済みディスクへのデータ追記、及びレーベルプリント処理が行われる（ステップＳ７）。そして処理が終了したかどうかの判断が行われ（ステップＳ８）、判断結果がＮｏのときはステップＳ１に戻され、判断結果がＹｅｓのときは処理が終了される。
【００６０】
図５には、上述のステップＳ６で述べたデータ未記録ディスクへの新規データ記録、及びレーベルプリント処理に関するフローチャートを示す。
【００６１】
図５において、動作が開始されると、まずデータ記録処理が行われる（ステップＳ１１）。この処理は、記録媒体として、例えば光ディスク（ＣＤ、ＤＶＤ、Blu-ray Disc、ＨＤ−ＤＶＤ）などの追記または書換え可能ディスクを対象とした場合には、公知のデータ記録処理である。次に、ファイナライズ／クローズ処理実行であるかどうかの判断が行われる（ステップＳ１２）。
【００６２】
このステップＳ１２で判断結果がＹｅｓのときは、当該ディスクがファイナライズまたはクローズ処理済みのディスクであるとして、そのレーベルプリント処理実行であるかどうかの判断が行われる（ステップＳ１３）。ここで判断結果がＹｅｓのときは、全面レーベルプリント処理が行われ（ステップＳ１４）、判断結果がＮｏのときは処理が終了される。また、ステップＳ１２で判断結果がＮｏのときも、次にはレーベルプリント処理実行であるかどうかの判断が行われる（ステップＳ１５）。ここで判断結果がＹｅｓのときは、レーベルプリント処理が行われ（ステップＳ１６）、判断結果がＮｏのときは処理が終了される。
【００６３】
図６には、上述のステップＳ７で述べたデータ記録済みディスクに対するデータ追記、及びレーベルプリントの処理に関するフローチャートを示す。
【００６４】
図６において、動作が開始されると、まずファイナライズ／クローズ済みディスクであるかどうかの判断が行われる（ステップＳ２１）。ここで判断結果がＮｏのときは、データ追記記録処理が行われる（ステップＳ２２）。この処理は、記録媒体として、例えば光ディスク（ＣＤ、ＤＶＤ、Blu-ray Disc、ＨＤ−ＤＶＤ）などの追記または書換え可能ディスクを対象とした場合には、公知のデータ記録処理である。そして、ファイナライズ／クローズ処理実行であるかどうかの判断が行われる（ステップＳ２３）。
【００６５】
このステップＳ２３で判断結果がＹｅｓのときと、ステップＳ２１でＹｅｓのときは、当該ディスクがファイナライズまたはクローズ処理済みディスクであるとして、そのレーベルプリント処理実行であるかどうか判断が行われる（ステップＳ２４）。ここで判断結果がＹｅｓのときは、全面レーベルプリント処理が行われ（ステップＳ２５）、判断結果がＮｏのときは処理が終了される。また、ステップＳ２３でＮｏのときも、次には、レーベルプリント処理実行であるかどうかの判断が行われる（ステップＳ２６）。ここで判断結果がＹｅｓのときは、レーベルプリント処理が行われ（ステップＳ２７）、判断結果がＮｏのときは処理が終了される。
【００６６】
図７には、上述のステップＳ２で述べたデータ記録済みディスクへのレーベルプリント処理に関するフローチャートを示す。
【００６７】
図７において、動作が開始されると、まずディスクのドライブへの挿入が行われる（ステップＳ３１）。次に、ファイナライズ／クローズ処理実行であるかどうかの判断が行われる（ステップＳ３２）。
【００６８】
このステップＳ３２で判断結果がＹｅｓのときは、当該ディスクがファイナライズまたはクローズ処理済みディスクであるとして、そのレーベルプリント処理実行であるかどうかの判断が行われる（ステップＳ３３）。ここで判断結果がＹｅｓのときは、全面レーベルプリント処理が行われる（ステップＳ３４）。また、ステップＳ３２で判断結果がＮｏのときも、次には、レーベルプリント処理実行であるかどうかの判断が行われる（ステップＳ３５）。ここで判断結果がＹｅｓのときは、レーベルプリント処理が行われる（ステップＳ３６）。さらにディスクの排出（ステップＳ３７）が行われて処理が終了される。
【００６９】
さらに図８には、上述のステップＳ１４、ステップＳ２５、ステップＳ３４で述べた全面レーベルプリント処理、すなわち、ファイナライズ、クローズされたディスクに対するレーベルプリント処理に関するフローチャートを示す。
【００７０】
図８において、動作が開始されると、まずレーベルプリント情報をディスクなどから読み取り、未プリント領域情報が取得される（ステップＳ４１）。すなわち、過去に行われたレーベルプリント情報は、ディスク上の所定の領域に記録されるか、記録再生装置に内蔵されたメインメモリ等に記憶されており、ステップＳ４１ではそのレーベルプリント情報が読み取られる。
【００７１】
次に、プリントリストの生成処理が行われる（ステップＳ４２）。そして、まだ一度もレーベルプリントされていないディスクかどうか判断される（ステップＳ４３）。このステップＳ４３で判断結果がＹｅｓのときは、レーベル全面をレーベルプリント領域に指定する（ステップＳ４４）。また、ステップＳ４３で判断結果がＮｏのときは、レーベルの残りの空き領域全てをレーベルプリント領域に指定する（ステップＳ４５）。そして指定領域へのプリント処理が行われる（ステップＳ４６）。さらにレーベルプリント完了情報をディスクへ付与して（ステップＳ４７）、処理は終了される。
【００７２】
また、図９には、上述のステップＳ１６、ステップＳ２７、ステップＳ３６で述べたレーベルプリント処理、すなわち、追記される可能性のある状況下にあるディスクへのレーベルプリント処理に関するフローチャートを示す。
【００７３】
図９において、動作が開始されると、まずレーベルプリント情報をディスクなどから読み取り、未プリント領域情報が取得される（ステップＳ５１）。すなわち、過去に行われたレーベルプリント情報は、ディスク上の所定の領域に記録されるか、記録再生装置に内蔵されたメインメモリ等に記憶されており、ステップＳ５１ではそのレーベルプリント情報が読み取られる。
【００７４】
次に、プリントリストの生成処理が行われる（ステップＳ５２）。プリント領域決定処理が行われる（ステップＳ５３）。ここで、プリントに使用する領域が決定される。そして指定領域へのプリント処理が行われる（ステップＳ５４）。さらにレーベルプリント情報をディスクへ付与して（ステップＳ５５）、処理は終了される。
【００７５】
なお、レーベルプリント情報は、レーベル面上のプリント済み領域の位置、範囲、プリントしたグループの数、グループのＩＤ、データ量を記録するものであるが、この記録は、光ディスクに光学的に記録してもよいし、またディスクにＩＣチップを搭載し、当該チップのメモリに記録しても良い。もしくはディスクと当該情報を紐つけしたうえで、プリント情報については光ディスクドライブを搭載した装置側で保持するようにしてもよい。
【００７６】
さらに図１０には、上述のステップＳ４２、ステップＳ５２で述べたプリントリストの生成処理に関するフローチャートを示す。
【００７７】
図１０において、動作が開始されると、まずシーンのグループ分け処理が行われる（ステップＳ６１）。次に、図９のステップＳ５１で取得したレーベルプリント情報を基に、既にプリント済みのグループ、シーンを以降の処理対象から除外する（ステップＳ６２）。つづいて、オブジェクトリスト生成処理が行われる（ステップＳ６３）。さらに、プリントリスト生成処理が行われて（ステップＳ６４）、処理は終了される。
【００７８】
そして図１１には、上述のステップＳ６１で述べたシーンのグループ分け処理、すなわち映像データを構成するシーンのグループ分け処理に関するフローチャートを示す。
【００７９】
図１１において、動作が開始されると、まずシーンの最初のフレームと前のシーンの
最終フレームの記録日時の差が１時間以内かどうかの判断が行われる（ステップＳ７１）。ここで判断結果がＹｅｓのときは、次にシーンの撮影位置情報はあるかどうかの判断が行われる（ステップＳ７２）。ここでも判断結果がＹｅｓのときは、さらにシーンの最初のフレームと前のシーンの最終フレームの記録位置の差が距離に換算して１０km以内かどうかの判断が行われる（ステップＳ７３）。
【００８０】
そして、ステップＳ７３で判断結果がＹｅｓのときと、ステップＳ７２で判断結果がＮｏのときは、当該シーンを前のシーンと同一のシーングループに設定する（ステップＳ７４）。また、ステップＳ７３で判断結果がＮｏのときと、ステップＳ７１で判断結果がＮｏのときは、当該シーンを新規シーングループに設定する（ステップＳ７４）。これによって処理が終了され、グループ数Ｍが求められる。
【００８１】
なお、上述したステップＳ７１、Ｓ７３で、閾値となる１時間、１０km等の数値はユーザー設定可能とする。またこの他の方法としては、撮影データに対してイベントマークをユーザーが付与可能な機構を撮影装置に設け、その場合にはイベントマークから次のイベントマークまでを１つのグループとしてデータのグループ分けを行うことも考えられる。
【００８２】
さらに、後述する映像データからのオブジェクト抽出処理は比較的に負荷の重い処理であるため、シーンのグループ分け処理をオブジェクトの抽出処理よりも前に行い、グループの属する記録時間の長いシーンに絞って処理を行うことで、重要なオブジェクトを抽出する精度を犠牲として処理量を削減する方法が考えられる。
【００８３】
図１２には、上述のステップＳ６２で述べたオブジェクトリスト生成処理、すなわちグループを構成するシーンからのオブジェクトリスト生成処理に関するフローチャートを示す。
【００８４】
図１２において、動作が開始されると、まずグループを構成するＮ個のシーンＳiを
撮影時間の長さの順に[長い]Ｓ1,Ｓ2,…,ＳN [短い] として序列化し、値ｉを値（ｉ＝１）とする（ステップＳ８１）。次に、シーンＳiのオブジェクト抽出処理する（ステップＳ８２）。そして、グループを構成するシーンから抽出されたオブジェクトの総数を値Ｎobjとし、値（Ｎobj＞Ｋ）かどうかの判断が行われる（ステップＳ８３）。
【００８５】
このステップＳ８３で判断結果がＮｏのときは、値（ｉ＝ｉ＋１）とされ（ステップＳ８４）、さらに値（ｉ≦Ｎ）かどうかの判断が行われる（ステップＳ８５）。ここで判断結果がＮｏのときは、ステップＳ８２に戻される。また、ステップＳ８３またはステップＳ８５で判断結果がＹｅｓのときは、抽出された最大Ｋ個のオブジェクトと、当該オブジェクトの重要度とをリスト化して（ステップＳ８１）、処理は終了される。
【００８６】
なお、この処理は、所定のＫ個のオブジェクトが抽出された時点で終了し、Ｋ個以下でもグループを構成する全シーン（Ｎ）への抽出処理が終了すれば終了となる。またこの処理は、撮影時間の長いシーンに重要なオブジェクトが含まれる可能性が高いという仮定の下に行われる処理であるが、最終的にレーベルプリントに採用されるオブジェクトがシーン中で撮影時間が最長であるシーンから抽出されたオブジェクトであるとは限らない。なお、Ｋを適当な値に設定することにより、常にグループ内の全シーンからオブジェクトが抽出されるようにすることもできる。
【００８７】
また図１３には、上述のステップＳ８２で述べたシーンＳiのオブジェクト抽出処理、すなわちシーン中からのオブジェクト抽出処理に関するフローチャートを示す。
【００８８】
図１３において、動作が開始されると、まずオブジェクト抽出処理が行われる（ステップＳ９１）。ここで、オブジェクト抽出処理自体は、公知の各種技術を利用する。また、オブジェクオの重要度の初期値はＮＵＬＬに設定される。次に、シーン中から１つ以上の
オブジェクトが抽出されたかどうかの判断が行われる（ステップＳ９２）。
【００８９】
このステップＳ９２で判断結果がＹｅｓのときは、抽出されたオブジェクトを構成するピクセル数を値Ｓ、当該オブジェクトのシーン中における登場フレーム数を値Ｆ、当該シーンの総データ量をシーンの記録時間で割った値を値Ｒとする（ステップＳ９３）。さらに、オブジェクトごとに値（Ｓ×Ｆ×Ｒ）を算出し、当該オブジェクトの重要度として設定する（ステップＳ９４）。ここで、オブジェクトを構成するピクセル数Ｓの値は、公知の手法により当該オブジェクトを抽出したＦ枚のフレーム中でのオブジェクトのピクセル数の総計をＦで割った値、もしくはオブジェクトのピクセル数が最大となるフレームにおける当該オブジェクトのピクセル数とする。
【００９０】
そして重要度が最大のオブジェクトを、そのシーンを代表するオブジェクトに選出して（ステップＳ９５）、処理は終了される。なお、ここで算出される値は、ビットレートが高いシーンほど重要、シーン中で大きく撮影されたオブジェクトほど重要、シーン中で長時間撮影されたオブジェクトほど重要、フレーム解像度が高いほど重要、という仮説にもとづいて決定した重要度である。
【００９１】
また、ステップＳ９２で判断結果がＮｏのときは、開始フレームまたは最終フレーム
または、中間フレームをシーンを代表するオブジェクトとし、重要度を０に設定して（ステップＳ９６）、処理は終了される。
【００９２】
また図１４には、上述のステップＳ６３で述べたプリントリストの生成処理に関するフローチャートを示す。
【００９３】
図１４において、動作が開始されると、まずプリント対象となる映像データを構成するＭ個のシーングループを撮影時間の長さの順に[長い]Ｇ1,Ｇ2, ….ＧM [短い] として序列化し、値ｉを値（ｉ＝１）とする（ステップＳ１０１）。次に、グループＧiのオブジェクトリスト中に重要度が０よりも大きい代表オブジェクトが存在するかどうかの判断が行われる（ステップＳ１０２）。
【００９４】
このステップＳ１０２で判断結果がＹｅｓのときは、当該グループのオブジェクトリストから重要度の最も高いシーン代表オブジェクトをプリントリストへ追加する（ステップＳ１０３）。また、ステップＳ１０２で判断結果がＮｏのときは、グループのオブジェクトリスト中から重要度０のオブジェクトを１つ任意抽出しプリントリストに加える（ステップＳ１０４）。さらに、値（ｉ＝ｉ＋１）とされ（ステップＳ１０５）、値（ｉ≦Ｐ）かどうかの判断が行われる（ステップＳ１０６）。ここで判断結果がＹｅｓのときは、ステップＳ１０２に戻される。
【００９５】
また、Ｐ＝Ｍの場合には、各グループからグループを代表するオブジェクトが１つプリントされる。
【００９６】
一方、ＣＤ（Compact Disc）、ＤＶＤ（Digital Versatile Disc）などの光ディスクの大きさは、直径１２０ｍｍ（φ１２０ｍｍ）のものが多く使用されているが、規格として直径８０ｍｍ（φ８０ｍｍ）も規定され、使用されている。φ８０ｍｍのディスクのレーベル面で印刷可能な面積は、φ１２０ｍｍのディスクより面積が狭いので、プリントに使用する情報は、より重要度の高い情報に絞り込む必要がある。
【００９７】
このようなφ８０ｍｍのディスクにレーベルをプリントするような場合には、Ｐ＜Ｍを設定し、より重要性の高いと思われるグループの代表オブジェクトのみをプリントするようにもできる。さらに、ステップＳ１０６で判断結果がＮｏのときは、処理は終了される。これによって、処理終了時点で、各シーングループを代表するＭ個のオブジェクト画像がプリントリストに設定されている。
【００９８】
さらに図１５には、上述のステップＳ５３で述べたプリント領域決定処理に関する第１の実施形態のフローチャートを示す。
【００９９】
図１５において、動作が開始されると、まず記録済みデータ量Ｖ1(Byte)を取得する（ステップＳ１１１）。次に、新規、または追加記録データ量Ｖ2(Byte)を取得する（ステップＳ１１２）。そして未プリント領域情報（開始角θ1、終了角θ2）を取得し、ディスク回転中心を基準とした、プリント済領域の仰角φ1、未使用領域の仰角φ2、新規プリントで使用可能な仰角φ3を求める（ステップＳ１１３）。なお、書換え可能ディスクや、追記用ディスクでは光記録面から絶対位置情報の取得が可能である。
【０１００】
また、ディスクの最大容量をＶmaxとして、
φ1＝2π×Ｖ1／Vmax
φ3＝2π×Ｖ2／Vmax
を求める（ステップＳ１１４）。
【０１０１】
さらに、各代表オブジェクトの属するグループのデータ量を取得し（ステップＳ１１５）、φ3の領域をグループのデータ量に応じて分割し、各グループのオブジェクト描画領域（φa、φb、φc）に割り当て（ステップＳ１１６）、処理が終了される。このようにして、例えば図１６に示すようなプリント領域が決定される。
【０１０２】
また、図１７には、上述のステップＳ４６、ステップＳ５４で述べた指定領域へのプリント処理に関する第１の実施形態のフローチャートを示す。
【０１０３】
図１７において、動作が開始されると、まずプリントリストに登録されたオブジェクトの情報を取得する（ステップＳ１２１）。次に、割り当てられた領域にオブジェクトを描画可能かどうかの判断が行われる（ステップＳ１２２）。ここで判断結果がＮｏのときは、領域にフィットするように画像処理を行う（ステップＳ１２３）。なお、画質低下を避けるため、画像処理の基本は縮小処理のみとする。また、領域が埋まらない場合には、同じグループから次に重要度の高いオブジェクをもってきてプリントし、これを繰り返す。
【０１０４】
さらに、ステップＳ１２２で判断結果がＹｅｓのときは、代表オブジェクトを指定領域に描画する（ステップＳ１２４）。そして、プリントリストに未プリントのオブジェクトがあるかどうかの判断が行われる（ステップＳ１２５）。ここで判断結果がＹｅｓのときは、ステップＳ１２１に戻される。また、ステップＳ１２５で判断結果がＹｅｓのときは、内蔵若しくはネットワーク上のデータベースを検索して得た各グループに関するテキスト情報（撮影日時、撮影場所など）を描画し、さらに枠の色の塗り分けなどの処理を行って（ステップＳ１２５）、処理が終了される。
【０１０５】
このようにして、この第１の実施形態では、ディスクのレーベル部分に図１８Ａに示すような空き領域があった場合に、図１８Ｂに示すように、その空き領域に各グループを代表するオブジェクトのプリントを行うことができる。
【０１０６】
また、この手順を用いることによって、例えば図１９Ａに示すようなレーベルプリントが行われていないディスクに対して、例えば映像データから抽出するオブジェクトの形状を円もしくは楕円とし、オブジェクトを切り出す際には、円、もしくは相似な楕円領域で切り出しを行う。レーベルプリント用に選出された代表オブジェクトは、縮小処理などの画像処理を経てレーベルにプリントされる。これにより、例えば図１９Ｂに示すような１回目のレーベルプリントが行われる。
【０１０７】
このレーベルプリントは順次追加して行われ、容量一杯までデータ記録した状態（完成状態）では、図１９Ｃに示すようにレーベルプリントが行われる。なおこの状態では、グループ別に縁取りの色を変えたり、テキスト情報を加えたりすることもできる。そしてこのレーベルプリントの画像からは、このディスクには少なくとも７つの主要なイベントが記録されていることが判る。また、プリントされた大きさから、例えば符号ａで示されたイベントに関する記録データ量が最も多いことが判るようになる。
【０１０８】
ところで、この第１の実施形態のやり方では、例えば３つのグループがほぼ同じデータ量であった場合には、レーベルに描画される代表オブジェクトのサイズは、図２０Ａに示すようにほぼ同じとなる。これでは、例えば高解像度シーンを短時間記録した場合と、低解像度シーンを長時間記録した場合とがレーベル面上でほぼ同一サイズとして表現されることになる。
【０１０９】
そこで、グループの特徴をレーベルプリントに反映させるためには、例えば図２０Ｂに示すように代表オブジェクト画像の縁取りの濃淡に当該グループを構成する各シーンの平均的ビットレートを反映させる。これによって、例えば同じ程度のプリントサイズであれば、例えば符号ｂで示された縁取りの色が濃い方が高画質であるなど、ユーザーはレーベルからコンテンツに関する情報を把握可能となる。
【０１１０】
さらに図２１には、上述のステップＳ５３で述べたプリント領域決定処理に関する第２の実施形態のフローチャートを示す。
【０１１１】
図２１において、動作が開始されると、まず記録済みデータ量Ｖ1(Byte)を取得する（ステップＳ１３１）。次に、新規、または追加記録データ量Ｖ2(Byte)を取得する（ステップＳ１３２）。そして未プリント領域情報（開始角θ1、終了角θ2）を取得し、ディスク回転中心を基準とした、プリント済領域の仰角φ1、未使用領域の仰角φ2、規プリントで使用可能な仰角φ3を求める（ステップＳ１３３）。なお、書換え可能ディスクや、追記用ディスクでは光記録面から絶対位置情報の取得が可能である。
【０１１２】
また、ディスクの最大容量をＶmaxとして、
φ1＝2π×Ｖ1／Vmax
φ3＝2π×Ｖ2／Vmax
を求め（ステップＳ１３４）、ここでの処理が終了される。これによって、例えば図２２に示すようなプリント領域が決定される。
【０１１３】
そして図２３には、上述のステップＳ４６、ステップＳ５４で述べた指定領域へのプリント処理に関する第２の実施形態のフローチャートを示す。
【０１１４】
図２３において、動作が開始されると、まずプリントリストに登録されたオブジェクトの情報を取得する（ステップＳ１４１）。次に、オブジェクトをその領域を包含する多角形で近似する（ステップＳ１４２）。そして、探索角度φの初期値として、データ量から
決定した描画領域角φ３を設定する（ステップＳ１４３）。さらに、探索角度φよりも小さく、かつ最も角度φに近い頂角をもつ近似多角形オブジェクトが存在するかどうかの判断が行われる（ステップＳ１４４）。
【０１１５】
このステップＳ１４４で判断結果がＮｏのときは、続けて探索角度φよりも大きく、かつ最も角度φ３に近い頂角をもつ近似多角形オブジェクトが存在するかどうかの判断が行われる（ステップＳ１４５）。そしてステップＳ１４４で判断結果がＹｅｓのときと、ステップＳ１４５で判断結果がＹｅｓのときは、発見されたオブジェクトの当該角度が探索角度φにフィットするようにオブジェクトを回転処理が行われる（ステップＳ１４６）。
【０１１６】
また、ステップＳ１４５で判断結果がＮｏのときは、ステップＳ１４６はスキップされる。さらに、全てのオブジェクトの配置完了かどうかの判断が行われる（ステップＳ１４７）。このステップＳ１４７で判断結果がＮｏのときは、探索角度φに次のターゲット角度を設定して（ステップＳ１４８）、ステップＳ１４４に戻される。また、ステップＳ１４７で判断結果がＹｅｓのときは、描画対象領域にフィットするように全体の縮小処理が行われて（ステップＳ１４９）、処理は終了される。
【０１１７】
これによって、オブジェクトをその領域を包含する多角形が、例えば図２４Ａの符号ａ〜ｄに示すように近似された場合に、最初は図２４Ｂに示すように描画領域角φ３を探索角度φの初期値として設定し、近似多角形オブジェクトａが探索される。そしてこの近似多角形オブジェクトａが図２４Ｃに示すように配置されると、新たにターゲット角度θ1、θ2が設定され、それらの角度に対して図２４Ｄに示すようにそれぞれ近似多角形オブジェクトｂ、ｃが探索される。
【０１１８】
さらに、これらの近似多角形オブジェクトｂ、ｃが配置されることによって、図２４Ｅに示すように新たにターゲット角度θ3、θ4が設定され、近似多角形オブジェクトｄが探索される。そして、図２４Ｆに示すように配置が終了されると、図２４Ｇに示すように全体の画像がプリント領域に納まるように縮小されて、指定領域へのプリント処理が終了される。
【０１１９】
以上のようにして、本発明のレーベルプリント装置、レーベルプリントシステム及びレーベルプリント方法によれば、記録媒体に記録または再生される画像情報中のオブジェクトを抽出し、抽出されたオブジェクトの大きさ及び出現頻度に基づいて重要度を算出し、算出された重要度に基づいて当該オブジェクトの画像を記録媒体のレーベル部分にプリントする。これによって、記録媒体に記録されている内容を一目で把握できるレーベルプリントを行うことができる。
【０１２０】
さらに、上述の手順を応用することによって、例えば図２５に示すように、各シーングループから検出されたオブジェクト画像や、オブジェクトが検出されない場合の代表画像をコラージュしたレーベルプリントを行うことができる。なおこの例では、それぞれのオブジェクト画像を楕円形にきり抜き、それぞれの周囲をぼかしてプリントしているものである。
【０１２１】
すなわち、図２６Ａに示すようなシーンを構成する各画像からオブジェクト（顔）領域を検出し、図２６Ｂに示すようにシーン中で領域サイズが最大の顔領域画像を代表顔領域画像とする。次に、図２６Ｃに示すように代表顔画像領域を含む画像から顔画像領域の２倍の領域を切り出す。そして図２６Ｄに示すように、画像処理で領域を楕円形に加工し境界をぼかす。
【０１２２】
さらに、図２６Ｅに示すように、各シーンから同様の手順で抽出された顔領域画像をレーベルにプリントする。またここでは、重要度の高い顔領域画像のプリントサイズを大きく、重要度が低い画像は小さいサイズでプリントを行う。このようにして、記録媒体に記録されている内容を一目で把握できるレーベルプリントを行うことができる。
【０１２３】
あるいは、図２７に示すように、レーベル描画領域を小領域に分割し、小領域単位でプリントの有無を管理する。その際には、光学的にデータ記録を行うデータ記録面側の絶対アドレスを描画領域の絶対位置を管理するうえで使用することができる。
【０１２４】
さらに、具体例としては、レーベル面を六角形格子状に領域分割して管理する。楕円形に切り出した画像を各領域内にプリントする。ただし、実際のプリント時には、図中の格子は印刷されない。
【０１２５】
そして、図２７Ａに示すセンターホールを通る軸(a)からの描画対象小領域の回転角度に応じて、図２７Ｂに示すように描画する画像も回転させる。なお、図２７では、同じ画像を顔画像として表現しているが、実際は各小領域にプリントされる各々の画像がディスクに記録される映像中のシーンから自動抽出されたシーンを代表する顔領域画像となる。
【０１２６】
なお図示の例では、領域数３６として３６種類の顔画像をレーベルに記載可能である。そして、個々のディスクに対してプリント済み領域を管理することで、後から光ディスクに追記した映像データから抽出された顔領域画像のレーベルへの追記が可能となる。
各小領域には、光ディスクに記録される映像データの撮影日時をプリントしても良い。
【０１２７】
なお、上述した実施形態では、映像データ中での重要度に応じて顔画像の描画サイズを変えたが、重要度に応じて、同一人物の顔画像（同じ画像、もしくは人物は同じだが種類の異なる顔画像）を描画する領域の数を変えることで、当該顔画像の人物が当該ディスク内のデータに占める重要度を表現することができる。あるいは、描画の濃淡によりディスクに記録されたデータ中での重要度を示すこともできる。
【０１２８】
また、例えばオブジェクトの顔画像を元の画像から切り出さず、重要度の判断のみに使用し、レーベルへのプリント時には元の画像をそのまま使用してもよい。この場合、画像の重なり具合に重要度を反映し、例えば図２８Ａ、Ｂに示すように重要度を最も高く設定されたシーンのフレームを最全面にレイアウトする。さらに、図２９に示すように、
画像中の顔領域を認識し、顔領域を避けて重ね合わせを行う、もしくは顔画像との重なりを最も少なくするように重ね合わせを行うことも可能である。
【０１２９】
以上に述べたように、本発明によれば、記録媒体に記録または再生される画像情報中のオブジェクトを抽出し、抽出されたオブジェクトの大きさ及び出現頻度に基づいて重要度を算出し、算出された重要度に基づいて当該オブジェクトの画像を記録媒体のレーベル部分にプリントすることによって、記録媒体に記録されている内容を一目で把握できるレーベルプリントが行われるものであるが、さらに本発明を応用して、以下のような処理も可能となる。
【０１３０】
すなわち、レーベルプリント機能を備えた動画データ、静止画データを記録可能な光ディスク記録再生装置で、光ディスクに記録された（もしくはこれから記録する）データを元に、あらかじめユーザーにより設定された条件でデータを走査し、レーベルプリント用のデータを自動抽出し、当該データをレーベルにプリントする。
【０１３１】
レーベルプリント機能を備えた動画データ、静止画データを記録可能な光ディスク記録再生装置で、光ディスクに記録済みもしくはこれから記録するデータから、所定のオブジェクトを抽出する機能を備え、抽出した１つ以上のオブジェクトを、当該データが記録される光ディスクの記録内容を代表するデータとしてレーベルにプリントする。
【０１３２】
記録するデータから抽出したオブジェクトの識別を行い、各オブジェクトの光ディスクに記録するデータ中に占める重要度を算出し、重要度の高いオブジェクトを大きいサイズで、重要度の低いオブジェクトを小さいサイズでレーベルにプリントする。
【０１３３】
記録するデータから抽出したオブジェクトの識別を行い、各オブジェクトの光ディスクに記録するデータ中に占める重要度を算出し、重要度の高いオブジェクトおよびそのオブジェクトに類似するオブジェクトの描画数を多くし、重要度の低いオブジェクトの描画数を少なくする。また、記録するデータから抽出したオブジェクトの識別を行い、各オブジェクトの光ディスクに記録するデータ中に占める重要度を算出し、重要度の高いオブジェクトは濃色で描画し、重要度の低いオブジェクトを淡色で描画する。
【０１３４】
オブジェクトのデータ中に占める重要度を算出するうえで、検出されたオブジェクトの領域サイズ、当該オブジェクトの出現フレーム数を測度とする。さらに、上記の重要度の算出において、オブジェクトの領域サイズが所定の値よりも小さいオブジェクトについては、実質的な領域サイズを０とし、出現頻度は高いが、出現時のサイズが小さいオブジェクトのデータ中における重要度が必要以上に高くなることを抑制する。
【０１３５】
上記の装置で、あらかじめ重要度の順位に閾値を儲け、重要度が閾値より高いオブジェクトだけをレーベルにプリントする。さらに、上記の装置で、オブジェクトの抽出をシーン単位で行い、シーン内でオブジェクト領域サイズが最大のオブジェクトを当該シーンの代表オブジェクトとして採用し、各シーンの代表オブジェクトをレーベルにプリントする。
【０１３６】
上記の装置で、レーベルに描画する各オブジェクトのサイズを略同一とする画像処理を行う。また、光ディスクのデータ記録面側の記録アドレス情報を利用し、オブジェクトを既に描画済みの領域であるのか、まだ描画していない領域であるのかを管理可能であり、後から光ディスクに追加記録したデータから抽出されたオブジェクトを空いている領域に追記可能にする。
【０１３７】
さらに上記の装置で、レーベル面を多角形の小領域に分割して管理することで、領域管理を簡便化する。また、元の画像から楕円領域でオブジェクト領域の切り出しを行い、楕円境界部では、境界部に近づくほど、画像のＲＧＢ値がレーベル描画背景色に近くなる画像処理を行う。さらに、オブジェクトを顔画像領域もしくは、顔画像領域を含む近傍領域とする。
【０１３８】
また、上記の装置で、シーンの代表画像の選出のために各画像のシーン中に占める重要度を算出する際に、検出されえた顔画像領域が笑顔であるかどうかを画層認識により判別し、笑顔の顔画像領域の重要度を高く設定する機能を備える。
【０１３９】
顔画像を抽出対象オブジェクトとする場合に、オブジェクトとしての顔画像が検出されなかったシーン（例えば風景のみが撮影されたシーン）については、シーンを構成する画像で、撮影時間軸上、略中央に位置する画像を、シーン代表画像とし、そのサムネイルをレーベルにプリントする機能を備える。
【０１４０】
風景映像と顔の入った映像とで、レーベルプリント用画像としての優先順位を設定可能にする。また、光ディスクに記録（録画）するデータが、テレビ番組であり、録画時間の長短に応じて、ＥＰＧデータを基に生成されたレーベルプリント用のサムネイル画像やタイトル情報などのレーベルへの描画サイズを変える、レーベルプリント方法および、当該機能を搭載する。
【０１４１】
映像データ中のシーンの代表画像を、シーン内で最大の大きさのオブジェクトが検出されたフレームとする、代表画像の選択方法、およびそれにより選択されたフレーム中のオブジェクトをレーベルにプリントする。
【０１４２】
映像データ中のシーンの代表画像を、シーン内で最も出現時間の長い（出現フレーム数の多い）オブジェクトが映っているフレームで、なおかつ当該オブジェクトが最も大きいサイズで映っているフレームとする、代表画像の選択方法、およびそれにより選択されたフレーム中のオブジェクトをレーベルにプリントする。
【０１４３】
映像データ中の全顔画像を抽出し、人物ごとにグループ分けを行い、グループの中で顔画像領域が最大のデータを当該人物の代表顔画像とし、全データ中での当該人物の登場フレーム数と登場時の顔画像領域サイズを元に、登場人物の映像データ中での重要度を算出し、重要度の高い人物の代表顔画像から優先的にレーベルプリント用データとして採用する。
【０１４４】
上記の装置で、光ディスクに記録する、もしくは記録されたデータの特徴量を抽出したうえで、装置内もしくはネットワーク上のデータベースと照合し、記録されたデータを象徴する画像データやテキストデータを取得し、それらをレーベルにプリントする。
【０１４５】
なお本発明は、上述の説明した実施形態に限定されるものではなく、本発明の精神を逸脱することなく種々の変形が可能とされるものである。
【図面の簡単な説明】
【０１４６】
【図１】本発明のレーベルプリント装置、レーベルプリントシステム及びレーベルプリント方法を適用した光ディスク記録再生装置の一実施形態の構成を示す平面図である。
【図２】本発明のレーベルプリント装置、レーベルプリントシステム及びレーベルプリント方法を適用した光ディスク記録再生装置の一実施形態の構成を示す正面図である。
【図３】本発明のレーベルプリント装置、レーベルプリントシステム及びレーベルプリント方法を適用した光ディスク記録再生装置の一実施形態の信号の流れを示したブロック図である。
【図４】本発明によるレーベルプリントの処理動作の説明のためのフローチャート図である。
【図５】本発明によるレーベルプリントの処理動作の説明のためのフローチャート図である。
【図６】本発明によるレーベルプリントの処理動作の説明のためのフローチャート図である。
【図７】本発明によるレーベルプリントの処理動作の説明のためのフローチャート図である。
【図８】本発明によるレーベルプリントの処理動作の説明のためのフローチャート図である。
【図９】本発明によるレーベルプリントの処理動作の説明のためのフローチャート図である。
【図１０】本発明によるレーベルプリントの処理動作の説明のためのフローチャート図である。
【図１１】本発明によるレーベルプリントの処理動作の説明のためのフローチャート図である。
【図１２】本発明によるレーベルプリントの処理動作の説明のためのフローチャート図である。
【図１３】本発明によるレーベルプリントの処理動作の説明のためのフローチャート図である。
【図１４】本発明によるレーベルプリントの処理動作の説明のためのフローチャート図である。
【図１５】本発明によるレーベルプリントの処理動作の説明のためのフローチャート図である。
【図１６】本発明によるレーベルプリントの説明のための図である。
【図１７】本発明によるレーベルプリントの処理動作の説明のためのフローチャート図である。
【図１８】本発明によるレーベルプリントの説明のための図である。
【図１９】本発明によるレーベルプリントの説明のための図である。
【図２０】本発明によるレーベルプリントの説明のための図である。
【図２１】本発明によるレーベルプリントの処理動作の説明のためのフローチャート図である。
【図２２】本発明によるレーベルプリントの説明のための図である。
【図２３】本発明によるレーベルプリントの処理動作の説明のためのフローチャート図である。
【図２４】本発明によるレーベルプリントの説明のための図である。
【図２５】本発明によるレーベルプリントの説明のための図である。
【図２６】本発明によるレーベルプリントの説明のための図である。
【図２７】本発明によるレーベルプリントの説明のための図である。
【図２８】本発明によるレーベルプリントの説明のための図である。
【図２９】本発明によるレーベルプリントの説明のための図である。
【符号の説明】
【０１４７】
１…光ディスク装置（印刷装置）、２…トレイ、３…スピンドルモータ（回転駆動部）、６…印刷部、７…制御部、１６…光ピックアップ、２１…印刷ヘッド、２３…インクカートリッジ、３１…吐出ノズル、３２…ヘッド駆動モータ、４１…インターフェース部、５１…中央制御部、５２…ドライブ制御部、５３…プリント制御部、６１…バスライン、６２…放送受信部、６３…中央演算装置、６４…メインメモリ、６５…画像処理部、６６…ハードディスク装置、６７…外部インターフェース部、６８…画像出力部、６９…ネットワークＩ／Ｆ部
【図１】
2009151858.tif 000003
【図２】
2009151858.tif 000004
【図３】
2009151858.tif 000005
【図４】
2009151858.tif 000006
【図５】
2009151858.tif 000007
【図６】
2009151858.tif 000008
【図７】
2009151858.tif 000009
【図８】
2009151858.tif 000010
【図９】
2009151858.tif 000011
【図１０】
2009151858.tif 000012
【図１１】
2009151858.tif 000013
【図１２】
2009151858.tif 000014
【図１３】
2009151858.tif 000015
【図１４】
2009151858.tif 000016
【図１５】
2009151858.tif 000017
【図１６】
2009151858.tif 000018
【図１７】
2009151858.tif 000019
【図１８】
2009151858.tif 000020
【図１９】
2009151858.tif 000021
【図２０】
2009151858.tif 000022
【図２１】
2009151858.tif 000023
【図２２】
2009151858.tif 000024
【図２３】
2009151858.tif 000025
【図２４】
2009151858.tif 000026
【図２５】
2009151858.tif 000027
【図２６】
2009151858.tif 000028
【図２９】
2009151858.tif 000029
【図２７】
2009151858.tif 000030
【図２８】
2009151858.tif 000031